(57)【要約】【課題】傘袋の紛失や携帯忘れを防ぎ、雨天時の雨傘の使用と収納を円滑にする。【解決手段】傘袋収納ケースと傘袋の底部を伸縮性のあるゴムやゴム繊維等の素材で形成された円筒孔で連結し、円筒孔で底部が開いた傘袋の口側から雨傘の外側心棒を円筒孔に傘の外側天辺まで挿し込み、雨傘本体と連結一体化させ固定した。適宜、傘袋を傘袋収納ケースから引き出して傘を収納し、傘を差して使用する時は傘袋を傘袋収納ケースに収納するようにした。傘袋の表面を濡らさず、繰り返し使用するために傘袋や傘袋収納ケースの口にはマジックテープで口を閉じバンドで固定できるようにした。【選択図】      図１
2004344620.tif 000002
【特許請求の範囲】
【請求項１】
雨傘の外側心棒（包皮された心棒を含む）を挿し込める、外側心棒より短い、伸縮性のあるゴムやゴム繊維等の弾力繊維等の素材で形成された円筒孔の一方の端と、深さが円筒孔の長さにほぼ等しく、その口側外面に袋閉じ用のバンドを付けたカップ状の傘袋収納ケースの底部とを、傘袋の底部で連結し、傘袋の中にある円筒孔の口側端から外側心棒を傘の天辺上縁まで挿し込み、円筒孔から突き出た心棒の部位にゴム又はマジックテープ等を貼り付け固定し、撥水性の高い合成樹脂や合成繊維等を素材として、雨傘本体と連結一体化した収納ケース付き傘袋。
【請求項２】
傘袋の口の外側と収納ケースの口の内側に対のマジックテープを、更に傘袋の口の内側とケースの口の外側に各々、マジックテープの対を取り付け袋閉じとした請求項１記載の傘袋。
【請求項３】
円筒孔の部分が、心棒を挿しこめる、心棒の外径に等しい孔を有する、プラスチック等の固形の円筒体や半円筒体等で形成された請求項１，２記載の傘袋。
【請求項４】
外側心棒が雌ネジ付きの包皮体で形成される場合、傘袋収納ケース付きの、外側先端が突出した包皮体を、雄ネジで形成された心棒に取り付けた、円筒体を除く内部の構造が請求項１，２記載と同様の傘袋。
【発明の詳細な説明】
【０００１】
【発明の属する技術分野】
本発明は、傘袋の紛失や携帯忘れを防ぎ、傘袋自体の表面を雨滴で濡らしたり汚したりせずに、使用後に濡れた雨傘を何度も繰り返し円滑に収納できる、雨傘本体と一体化した、収納ケース付き傘袋に関するものである。
【０００２】
【従来の技術】
従来、雨天時傘を使用して屋内に入った後、閉じた雨傘の表面は濡れていて水滴が滴り落ちたり、直接に衣服等に触れたりして、床や車内のソファーや衣服等を濡らしたり汚したりする。それを防ぐ役割を果たすものとして専用や市販の携帯傘袋等がある。また、デパートやマーケット等では使い捨ての傘袋等が用意されている。
【０００３】
【発明が解決しようとする課題】
これには次の欠点があった。
イ．雨傘を購入時等に付いている専用の傘袋等を紛失することがある。
ロ．外出時、雨傘のみで傘袋の携帯を忘れることが多い。
ハ．傘袋を忘れた場合、雨天時にデパートやマーケット等をはしごする時には、その都度繰り返しサービス用の傘袋のお世話にならざるをえない。更に帰りの車内まで傘を差すと、傘袋は使い捨てた後になり、車内の座席や床を濡らすことになる。
ニ．雨天時にデパートやマーケット等々以外の小売店や食堂、知人宅等の訪問先では傘袋は用意されていないことが多く、相手方の軒先を濡らしたりして迷惑をかけることになる。
ホ．傘袋を携帯していても、雨天時に繰り返し使うことにより、雨傘を使用しているときは、別々に携帯することになる。傘から外した傘袋には内面に水滴や汚れが付いており、荷物や衣服に染み込んだりするため、濡れた傘袋を一緒に持ち歩くのも煩わしく面倒である。
ヘ．傘袋の片方の端を外側心棒や、雨傘の握りの部位に固定する方法も考えられるが、雨傘を差すときは、傘袋の表面が濡れないように内面を外側に反転して心棒の方向へ収縮させなければならず、反転した隙間から雨露が染みて来る。握りの部位に固定すると、内面が濡れた収縮した傘袋が手元にくることになり、手を濡らしたりして雨傘の使用と収納が円滑にはいかないと考える。
本発明は、以上の欠点を解決するために成されたものである。
【０００４】
【課題を解決するための手段】
通常の雨傘は、その外側天辺から約２〜９ｃｍ（平均約８ｃｍ）程、心棒が突き出ている。更に雨傘の外側心棒の外径は通常約１〜２ｃｍにある。その雨傘の外側心棒を挿しこめる、ゴムやゴム繊維等の伸縮性のある素材で形成された円筒孔を傘袋の底から口の方へ設けて、傘袋とカップ状の傘袋収納ケースと円筒孔を底部で連結し、底部が孔で開いた、収納ケース付きの傘袋を作る。傘袋を収縮させてカップ状ケースの中に収納させた後、雨傘の外側心棒を口側方から円筒孔に挿し込み傘本体と一体化させ固定して、適宜、傘袋をケースから引き出して傘を収めたり、ケースに収めて傘を使用したりすることができる、傘袋である。傘をさして使用している時は、ケースに収納された傘袋の濡れた内面とケースの内面に接する傘袋の外面は異なる空間にあるため、外面が濡れたりすることはない。傘袋およびケースの素材としては、雨や風にうたれるため、各種の軽量の撥水性の合成樹脂や合成繊維等が適していると考えられる。マジックテープを利用すると、傘袋を閉じてケース内に収納し更にケースの口を閉じることができる。更に雨傘を収納する時にはケースは反転して内面を外に向けて、濡れた外面で心棒の突き出た部位をマジックテープで閉じ傘袋の一部として利用できる。心棒の外径に一致すれば円筒孔の形体をプラスチック等の固形の円筒や半円筒にして心棒に接着し固定することも可能である。心棒がプラスチック等の外側包皮体とネジで構成される雨傘を作る場合、包皮体の孔の部分を雌ネジにして傘袋付き包皮体の外側心棒として雨傘本体とセット化することも可能である。
【０００５】
【発明の実施の形態】
イ）傘袋の底部に外側心棒を挿しこめる、ゴムやゴム繊維等の伸縮性のある素材を用いた円筒孔を内側に取り付け、孔で底が開いた傘袋を作る。
ロ）心棒の外径（太さ）に一致すれば、円筒体の部分をプラスチック等の固形の円筒や半円筒で形成することも可能である。
ハ）断面がＵ字型のケースの底部を開けて傘袋の底部に円筒孔の端で連結する。
ニ）傘袋の口の外側に幅の短いマジックテープ＋（−）を貼り付け、ケースの口の内側にも同様にマジックテープ−（＋）を貼り付ける。更に傘袋の口の内側にマジックテープの＋および−を円周の半分ずつ貼り付ける。
ホ）ケースの口の外側に袋閉じ用のバンドを取り付けて両端の表裏にマジックテープの＋、−を貼り付ける。更にケースの外側には反転して閉じられるように数箇所に各々＋、−のマジックテープを貼り付ける
ヘ）傘袋を縮めてケースに収めた後、雨傘の外側心棒と円筒孔を連結させて円筒孔の口側端を傘の天辺が接する位置で心棒に固定する。心棒が突き出た部位にゴムやマジックテープ等を貼り付け、円筒孔の位置がずれないようにすることができる。
ト）雨傘を差して使用する時は、傘袋を下方（外側心棒の方）に収縮しマジックテープで口を閉じ、雨傘の天辺外側の部位で、ケースの口の内側と傘袋の口の外側をマジックテープで閉じる。強風の時には更に外側のバンドで固定する。
チ）雨傘を中に収納する時には、先ずケースの内面を外方に反転して心棒の突き出た部位を閉じ、傘袋を上方（傘の柄の方）に引き出して雨傘を収納して口を閉じる。
リ）外側心棒が雄ネジ構造の時、孔の部分を雌ネジとした、円筒孔を要しない、ケース付き包皮体にして雨傘本体とセット化することも可能と考える。
【０００６】
【発明の効果】
本発明を使用することによって、雨傘と傘袋が常時一体化し、傘袋の紛失や携帯忘れを防止することができる。更に、雨天時の雨傘の使用と使用後の傘の収納を繰り返し円滑に行うことができる。ケース内では、雨傘の濡れた外面に接する傘袋の内面と、傘袋の外面は異なる空間にあるため、繰り返し使用しても、雨の中、雨傘を開かずに傘袋に入れたまま持ち歩かない限り、傘袋の外面が濡れたりすることはない。雨傘を差して使用している時には、傘袋はケースに収納され両方の入り口のマジックテープで固定されて傘の天辺で心棒を挟んで閉じられることになるが、傘袋の口は下方に向いており水分が溜まったりすることはない。また、雨や風が強い時は更にケースの外側のバンドによって強くケースを閉じることもできる。雨傘を傘袋に収める時にはケースは反転して傘袋の一部として使用できる。傘袋及びケースの素材を軽い撥水性の合成樹脂や合成繊維等を用いることにより、ケースの容積はより小さく軽量化できる。雨傘本体とセット化することにより、孔の寸法に狂いがなく固定でき、心棒の形態をケース付き外側心棒（包皮体）として雨傘本体とネジ等で固定することも可能である。
【図面の簡単な説明】
【図１】本発明の斜視図
【図２】本発明の平面図
【図３】雨傘を使用する時の本発明の断面図
【図４】雨傘を収納する時の本発明の断面図
【符号の説明】
１    傘袋本体
２    傘袋収納ケース
３    円筒孔
４    ケース閉じ用バンド（両端の反対側にマジックテープ±）
５    傘袋口外側マジックテープ（＋または−）
６    ケース口内側マジックテープ（−または＋）
７    傘袋口内側マジックテープ（±）
８    ケース口外側マジックテープ（±）
９    円筒孔固定用のゴム、またはマジックテープ
【図１】
2004344620.tif 000003
【図２】
2004344620.tif 000004
【図３】
2004344620.tif 000005
【図４】
2004344620.tif 000006
【手続補正書】
【提出日】平成15年5月23日(2003.5.23)
【手続補正１】
【補正対象書類名】図面
【補正対象項目名】図３
【補正方法】変更
【補正の内容】
【図３】
2004344620.tif 000007
【手続補正書】
【提出日】平成15年6月2日(2003.6.2)
【手続補正１】
【補正対象書類名】明細書
【補正対象項目名】０００５
【補正方法】変更
【補正の内容】
【０００５】
【発明の実施の形態】
イ）傘袋の底部に外側心棒を挿しこめる、ゴムやゴム繊維等の伸縮性のある素材を用いた円筒孔を内側に取り付け、孔で底が開いた傘袋を作る。
ロ）心棒の外径（太さ）に一致すれば、円筒体の部分をプラスチック等の固形の円筒や半円筒で形成することも可能である。
ハ）断面がＵ字型のケースの底部を開けて傘袋の底部に円筒孔の端で連結する。
ニ）傘袋の口の外側に幅の短いマジックテープ＋（−）を取り付け、ケースの口の内側にも同様にマジックテープ−（＋）を取り付ける。更に傘袋の口の内側にマジックテープの＋および−を円周の半分ずつ取り付ける。
ホ）ケースの口の外側に袋閉じ用のバンドを取り付けて両端の表裏にマジックテープの＋、−を取り付ける。更にケースの外側には反転して閉じられるように数箇所に各々＋、−のマジックテープを取り付ける。
ヘ）傘袋を縮めてケースに収めた後、雨傘の外側心棒と円筒孔を連結させて円筒孔の口側端を傘の天辺が接する位置で心棒に固定する。心棒が突き出た部位にゴムやマジックテープ等を貼り付け、円筒孔の位置がずれないようにすることができる。
ト）雨傘を差して使用する時は、傘袋を下方（外側心棒の方）に収縮しマジックテープで口を閉じ、雨傘の天辺外側の部位で、ケースの口の内側と傘袋の口の外側をマジックテープで閉じる。強風の時には更に外側のバンドで固定する。
チ）雨傘を中に収納する時には、先ずケースの内面を外方に反転して心棒の突き出た部位を閉じ、傘袋を上方（傘の柄の方）に引き出して雨傘を収納して口を閉じる。
リ）外側心棒が雄ネジ構造の時、孔の部分を雌ネジとした、円筒孔を要しない、ケース付き包皮体にして雨傘本体とセット化することも可能と考える。